(57)【要約】【課題】先端工具の交換や刃先の角度調整を安定的に行うことができるハンマドリルを提供すること。【解決手段】モータ８の回転をピストン２０の往復運動に変換し、シリンダ１７内の空気室２４の圧力変動によって先端工具２６に打撃力を伝達する打撃機構部と、モータ６の回転をシリンダ１７に伝達して先端工具２６を回転駆動する回転伝達機構部と、打撃機構部による打撃力の伝達及び回転伝達機構部による回転の伝達をＯＮ／ＯＦＦすることによって、動作モードを少なくとも回転・打撃モード、打撃モード又はニュートラルモードに切り替え可能とする切替機構と、打撃モード時にシリンダ１７に係合してこれの回転をロックする回転係止機構と、を備えて成るハンマドリル１において、前記ニュートラルモード時には、打撃機構部による打撃力の伝達と回転伝達機構部による回転の伝達及び回転係止機構によるシリンダの回転ロックをＯＦＦする。【選択図】図６
2006289576.tif 000002
【特許請求の範囲】
【請求項１】
シリンダ内に打撃子を摺動自在に嵌装し、駆動源であるモータの回転をピストンの前記シリンダ内での往復運動に変換し、前記シリンダ内に前記ピストンと前記打撃子によって画成される空気室の圧力変動によって前記打撃子を介して先端工具に打撃力を伝達する打撃機構部と、
前記モータの回転をギヤを介して前記シリンダに伝達し、該シリンダとこれに係合する前記先端工具を回転駆動する回転伝達機構部と、
前記打撃機構部による前記先端工具への打撃力の伝達及び前記回転伝達機構部による前記先端工具への回転の伝達をＯＮ／ＯＦＦすることによって、動作モードを少なくとも回転・打撃モード、打撃モード又はニュートラルモードに切り替え可能とする切替機構と、
前記打撃モード時に前記シリンダに係合してこれの回転をロックする回転係止機構と、
を備えて成るハンマドリルにおいて、
前記ニュートラルモード時には、前記打撃機構部による打撃力の伝達と前記回転伝達機構部による回転の伝達及び前記回転係止機構によるシリンダの回転ロックをＯＦＦすることを特徴とするハンマドリル。
【請求項２】
前記シリンダに形成された呼吸孔をシリンダに摺動可能に外嵌されたスリーブによって開閉して前記空気室と外気とを遮断／連通させることによって前記打撃機構部による打撃力の伝達をＯＮ／ＯＦＦするとともに、ニュートラルモード時には、前記スリーブの位置を規制手段によって規制して前記呼吸孔を開放することを特徴とする請求項１記載のハンマドリル。
【請求項３】
前記回転伝達機構部に、前記シリンダの外周に摺動可能にスプライン嵌合して前記ギヤに係脱可能な連結部材を設け、前記回転係止機構に、前記連結部材に係脱可能であって且つハウジングに摺動可能にスプライン嵌合する回転係止部材を設けるとともに、前記規制手段を前記回転係止部材で構成したことを特徴とする請求項２記載のハンマドリル。
【請求項４】
前記切替機構を偏心ピンとカムを備える切替部材で構成し、該切替部材を回動操作することによって、前記偏心ピンによって前記連結部材を摺動させてこれを前記ギヤと前記回転係止部材に係脱せしめるとともに、前記カムによって前記回転係止部材を摺動させて前記スリーブの位置を規制することを特徴とする請求項３記載のハンマドリル。
【請求項５】
前記回転係止機構は、前記打撃モード時においては、前記連結部材を前記回転係止部材に係合させて前記シリンダ及び先端工具の回転をロックすることを特徴とする請求項３又は４記載のハンマドリル。
【請求項６】
前記切替機構は、前記回転・打撃モード、打撃モード及びニュートラルモードの他、前記打撃機構部による打撃力の伝達をＯＦＦ、前記回転伝達機構部による回転の伝達をＯＮすることによって前記先端工具に回転のみを伝達する回転モードに切り替え可能であることを特徴とする請求項１〜５の何れかに記載のハンマドリル。
【請求項７】
前記切替機構による動作モードの切替順序において、前記打撃モードと前記回転モードの間に前記ニュートラルモードを設けたことを特徴とする請求項６記載のハンマドリル。
【発明の詳細な説明】
【技術分野】
【０００１】
本発明は、先端工具に打撃力を与える打撃機構部と、同先端工具に回転を伝達してこれを回転駆動する回転伝達機構部を備えてハンマとドリルの機能を兼備するハンマドリルに関するものである。
【背景技術】
【０００２】
打撃機構部と回転伝達機構部を備えるハンマドリルの動作モードには、先端工具に打撃力と回転の双方を伝達する打撃・回転モードと、先端工具に回転のみを伝達する回転モードと及び先端工具に打撃力のみを伝達する打撃モードの３種類があり、これらの動作モードは動作モード切替機構によって作業の種類に応じて適宜切り替えられる。
【０００３】
この種のハンマドリルの動作モード切替機構としては、例えば特許文献１に提案されているものが知られている。この動作モード切替機構は、打撃機構部と回転伝達機構部のそれぞれにギヤとクラッチ機構を設け、クラッチ機構によってモータからの回転の伝達を断接することによって動作モードを切り替える方式を採用している。
【０００４】
【特許文献１】特開２００２−１９２４８１号公報
【発明の開示】
【発明が解決しようとする課題】
【０００５】
ところで、ハンマドリルには前記３種類の動作モード以外にニュートラルモードがあり、このニュートラルモードにおいては、先端工具への回転の伝達が機構的に遮断されているため、作業者は、電源スイッチをＯＦＦにした状態で先端工具を取り替えたり、先端工具を軸中心回りに回転させてその刃先の角度を任意に調整することができる。
【０００６】
ところが、従来のハンマドリルにおいては、ニュートラルモード時に打撃力が先端工具に伝達し得る構成が採用されていたため、先端工具を交換したり、先端工具の刃先を調整している間に電源スイッチがＯＮされたような場合には、先端工具に打撃力が加わるために該先端工具の交換や刃先の調整を行うことができなくなってしまうという問題があった。
【０００７】
本発明は上記問題に鑑みてなされたもので、その目的とする処は、先端工具の交換や刃先の角度調整を安定的に行うことができるハンマドリルを提供することにある。
【課題を解決するための手段】
【０００８】
上記目的を達成するため、請求項１記載の発明は、シリンダ内に打撃子を摺動自在に嵌装し、駆動源であるモータの回転をピストンの前記シリンダ内での往復運動に変換し、前記シリンダ内に前記ピストンと前記打撃子によって画成される空気室の圧力変動によって前記打撃子を介して先端工具に打撃力を伝達する打撃機構部と、
前記モータの回転をギヤを介して前記シリンダに伝達し、該シリンダとこれに係合する前記先端工具を回転駆動する回転伝達機構部と、
前記打撃機構部による前記先端工具への打撃力の伝達及び前記回転伝達機構部による前記先端工具への回転の伝達をＯＮ／ＯＦＦすることによって、動作モードを少なくとも回転・打撃モード、打撃モード又はニュートラルモードに切り替え可能とする切替機構と、
前記打撃モード時に前記シリンダに係合してこれの回転をロックする回転係止機構と、を備えて成るハンマドリルにおいて、
前記ニュートラルモード時には、前記打撃機構部による打撃力の伝達と前記回転伝達機構部による回転の伝達及び前記回転係止機構によるシリンダの回転ロックをＯＦＦすることを特徴とする。
【０００９】
請求項２記載の発明は、請求項１記載の発明において、前記シリンダに形成された呼吸孔をシリンダに摺動可能に外嵌されたスリーブによって開閉して前記空気室と外気とを遮断／連通させることによって前記打撃機構部による打撃力の伝達をＯＮ／ＯＦＦするとともに、ニュートラルモード時には、前記スリーブの位置を規制手段によって規制して前記呼吸孔を開放することを特徴とする。
【００１０】
請求項３記載の発明は、請求項２記載の発明において、前記回転伝達機構部に、前記シリンダの外周に摺動可能にスプライン嵌合して前記ギヤに係脱可能な連結部材を設け、前記回転係止機構に、前記連結部材に係脱可能であって且つハウジングに摺動可能にスプライン嵌合する回転係止部材を設けるとともに、前記規制手段を前記回転係止部材で構成したことを特徴とする。
【００１１】
請求項４記載の発明は、請求項３記載の発明において、前記切替機構を偏心ピンとカムを備える切替部材で構成し、該切替部材を回動操作することによって、前記偏心ピンによって前記連結部材を摺動させてこれを前記ギヤと前記回転係止部材に係脱せしめるとともに、前記カムによって前記回転係止部材を摺動させて前記スリーブの位置を規制することを特徴とする。
【００１２】
請求項５記載の発明は、請求項３又は４記載の発明において、前記打撃モード時においては、前記連結部材を前記回転係止部材に係合させて前記シリンダ及び先端工具の回転をロックすることを特徴とする。
【００１３】
請求項６記載の発明は、請求項１〜５の何れかに記載の発明において、前記切替機構は、前記回転・打撃モード、打撃モード及びニュートラルモードの他、前記打撃機構部による打撃力の伝達をＯＦＦ、前記回転伝達機構部による回転の伝達をＯＮすることによって前記先端工具に回転のみを伝達する回転モードに切り替え可能であることを特徴とする。
【００１４】
請求項７記載の発明は、請求項６記載の発明において、前記切替機構による動作モードの切替順序において、前記打撃モードと前記回転モードの間に前記ニュートラルモードを設けたことを特徴とする。
【発明の効果】
【００１５】
請求項１記載の発明によれば、ニュートラルモード時には、打撃機構部による打撃力の伝達と回転伝達機構部による回転の伝達及び回転係止機構によるシリンダの回転ロックがＯＦＦされるため、たとえ電源スイッチがＯＮされたとしても、先端工具には打撃力も回転も伝達されない。このため、回転工具を取り外してこれを別のものと交換したり、先端工具を軸中心回りに回転させてその刃先の角度を調整することができ、これらの作業を安定的に行うことができる。
【００１６】
請求項２及び３記載の発明によれば、ニュートラルモード時には、規制手段によってスリーブはその位置が呼吸孔を開放する位置に規制されるため、シリンダ内の空気室が呼吸孔を介して外気に連通し、該空気室には圧力変動が発生せず、先端工具に打撃力が伝達されない。従って、ニュートラルモード時において先端工具への打撃力の伝達を確実にＯＦＦすることができる。
【００１７】
請求項４及び６記載の発明によれば、単一の切替部材の回動操作で該切替部材の偏心ピンによって連結部材を摺動させるとともに、カムによって回転係止部材を摺動させることによって、動作モードを回転・打撃モード、打撃モード、回転モード又はニュートラルモードに切り替えることができ、切替機構と切替操作の単純化を図ることができる。
【００１８】
請求項５記載の発明によれば、打撃モードにおいて連結部材を回転係止部材に係合させてシリンダ及び先端工具の回転をロックするようにしたため、先端工具には打撃力のみが確実に伝達され、当該ドリルハンマはハンマとしての機能を発揮することができる。
【００１９】
請求項７記載の発明によれば、切替機構による動作モードの切替順序において、打撃モードと回転モードの間にニュートラルモードを設けたため、打撃モードから回転モード又はその逆への切り替えに際しては必ずニュートラルモードを通過する。このため、先端工具の交換を必要とする打撃モードから回転モード又はその逆への切り替えに際しては、動作モードの切り替えに先立ってニュートラルモードにおいて先端工具の交換を簡単に行うことができる。
【発明を実施するための最良の形態】
【００２０】
以下に本発明の実施の形態を添付図面に基づいて説明する。
【００２１】
図１は本発明に係るハンマドリルの側面図であり、図示のハンマドリル１は、動作モードとして回転・打撃モード、回転モード、打撃モード及びニュートラルモードの４つのモードを備えるものであって、そのハウジング２には、打撃機構部と、回転伝達機構部及び切替機構が内蔵されている。
【００２２】
そして、ハウジング２の後端部（図１の右端部）にはハンドル３が設けられ、このハンドル３には電源スイッチ４が設けられるとともに、給電用の電気コード５が接続されている。又、ハウジング２の側部には、動作モード切替用のダイヤル状の切替部材６が回動可能に設けられており、その前方にはサブハンドル７が横方向（図１の手前側）に突設されている。
【００２３】
而して、ハンマドリル１の先端部には後述の先端工具２６（図２参照）が装着され、この先端工具２６が打撃力又は回転力或はその双方を受けて所要の作業を行う。
【００２４】
次に、ハンマドリル１の内部構造の詳細を図２及び図３に基づいて説明する。
【００２５】
図２はハンマドリル要部の側断面図、図３（ａ）は切替部材の側面図、同図（ｂ）は同切替部材の底面図である。尚、図２においては、ハウジング２の側部に設けられた前記切替部材６は、便宜上、位相を９０°ずらした状態で図示されている。
【００２６】
ハウジング２は、モータハウジング２Ａとこれの上部に被着されたシリンダケース２Ｂとで構成されており、モータハウジング２Ａ内には、駆動源としてのモータ８が縦置き状態で収納されている。そして、このモータ８の上方へ延出する出力軸（モータ軸）９の上端にはピニオン１０が一体に形成されている。
【００２７】
又、上記モータ８の出力軸（モータ軸）９を挟んでこれの両側には、クランク軸１１と中間軸１２がそれぞれ垂直且つ回転可能に支承されており、これらのクランク軸１１と中間軸１２の各中間高さ位置にはギヤ１３，１４がそれぞれ結着され、これらのギヤ１３，１４は、前記モータ軸９の端部に形成された前記ピニオン１０に噛合している。尚、両ギヤ１３，１４の径はピニオン１０のそれよりも大きく設定されている。そして、クランク軸１１の上端には、クランクピン１５が回転中心に対して偏心した位置に垂直且つ一体に立設されており、中間軸１２の上端には小径のベベルギヤ１６が一体に形成されている。
【００２８】
他方、水平方向に長く延びる前記シリンダケース２Ｂ内には、シリンダ１７がその軸方向両端部をボールベアリング１８とメタル軸受１９によって回転可能に支承されて水平に配されており、このシリンダ１７内にはピストン２０と打撃子２１がそれぞれ摺動可能に嵌装されている。そして、ピストン２０は、コンロッド２２を介して前記クランク軸１１のクランクピン１５に連結されており、コンロッド２２の一端は、ピストンピン２３を介してピストン２０に連結されている。
【００２９】
又、シリンダ１７内には、前記打撃子２１とピストン２０によって空気室２４が画成されており、シリンダ１７には、空気室２４に開口する複数の呼吸孔２５が形成されている。尚、これらの呼吸孔２５は、空気室２４と外気とを選択的に連通させるものである。
【００３０】
更に、シリンダ１７の細くなった先端部には着脱可能な先端工具２６が装着されており、この先端工具２６は、シリンダ１７に対して軸方向（前後方向）に摺動可能且つ周方向に回転不能に係合している。そして、シリンダ１７内の先端工具２６と打撃子２１との間には、中間子２７が水平方向に摺動可能に嵌装されており、この中間子２７の軸方向端面は先端工具２６と打撃子２１の各端面に当接している。
【００３１】
上記中間子２７の打撃子２１側の端部は、中間部よりも小径に成形され、この端部は、シリンダ１７内に水平方向に摺動可能に嵌装された円環部材２８の中心孔部に嵌合保持されており、該端部と中間部との間に形成されたテーパ状の段部２７ａは、円環部材２８の一端面に当接している。従って、円環部材２８は、打撃子２１側（後方）へは中間子２７と共にシリンダ１７内を摺動するが、先端工具２６側（前方）へは中間子２７と共には移動せず、中間子２７のみが単独で移動する。又、円環部材２８の外周部には、係止部材としての複数のピン２９が垂直に挿入保持されており、シリンダ１７には、各ピン２９が係合する軸方向に長い長孔１７ａが形成されている。従って、ピン２９を保持して成る円環部材２８は、ピン２９がシリンダ１７の長孔１７ａ内で摺動し得る範囲で軸方向（前後方向）に移動することができる。
【００３２】
一方、シリンダ１７の外周部には前後方向に２つのスライドスリーブ３０，３１が摺動可能に外嵌されており、一方（前側）のスライドスリーブ３０の前端内周部には軸方向に長い複数の係合溝３０ａが形成され、各係合溝３０ａには前記ピン２９が係合している。
【００３３】
又、他方（後方）のスライドスリーブ３１の外周側には回転係止部材３２が配されており、この回転係止部材３２は、その外周部がシリンダケース２Ｂの内周部に軸方向に摺動可能且つ周方向に回転不能にスプライン嵌合されており、これと前記ボールベアリング１８との間に縮装されたスプリング３３よって常時後方に付勢され、その後端面は図示のように前記切替部材６のカム６ａの外周面（カム面）に当接している。
【００３４】
ここで、切替部材６の構成の詳細は図３に示されるが、該切替部材６には、図３（ｂ）に示すようなフロフィルのカム面を有する前記カム６ａが一体に形成されており、該カム６ａの端面の当該切替部材６の回動中心から偏心した位置には偏心ピン６ｂが一体に突設されている。
【００３５】
ところで、図２に示すように、前記シリンダ１７の後端部外周には大径のベベルギヤ３４が回転可能に支承されており、該ベベルギヤ３４は、前記中間軸１２の上端に形成された小径の前記ベベルギヤ１６に噛合している。尚、ベベルギヤ３４は、シリンダ１７の後端部と共に前記メタル軸受１９によってシリンダケース２Ｂに回転可能に支承されている。
【００３６】
又、シリンダ１７の外周の前記回転係止部材３２とベベルギヤ３４との間には、連結部材３５が軸方向に（前後方向）に摺動可能且つ周方向に回転不能にスプライン嵌合されており、該連結部材３５は、これと前記スライドスリーブ３１との間に縮装されたスプリング３６によって常時後方に付勢され、その前端外周部に形成された段部は前記切替部材６の偏心ピン６ｂに当接している。そして、この連結部材３５の前端部には、前記回転係止部材３２の後端面に形成された複数の係合爪３２ａに選択的に係合する複数の係合爪３５ａが形成され、同連結部材３５の後端部には、前記ベベルギヤ３４に形成された複数の係合爪３４ａに選択的に係合する複数の係合爪３５ｂが形成されており（図５参照）、該連結部材３５は回転係止部材３２及びベベルギヤ３４と共にドグクラッチを構成している。
【００３７】
而して、以上説明したギヤ１３、クランク軸１１、コンロッド２２、シリンダ１７、ピストン２０、打撃子２１、中間子２７等が打撃機構部を構成しており、この打撃機構部によってモータ８の出力軸（モータ軸）９の回転がピストン２０の往復運動に変換されて先端工具２６に打撃力が与えられる。
【００３８】
又、ギヤ１４、中間軸１２、ベベルギヤ１６，３４、連結部材３５、シリンダ１７等が回転伝達機構部を構成しており、この回転伝達機構部によってモータ８の出力軸（モータ軸）９の回転が先端工具２６に伝達されて該先端工具２６が回転駆動される。
【００３９】
更に、呼吸孔２５、円環部材２８、ピン２９、スライドスリーブ３０，３１、切替部材６、連結部材３５、回転係止部材３２等が切替機構を構成している。
【００４０】
次に、以上の構成を有するハンマドリルの作用を１）回転・打撃モード、２）回転モード、３）打撃モードの各モード及び４）ニュートラルについて図２及び図４〜図１０に基づいてそれぞれ説明する。尚、図２は回転・打撃モード時のハンマドリル要部の側断面図、図４、図５、図６はそれぞれ回転モード時、打撃モード時、ニュートラル時のハンマドリル要部の側断面図、図７、図８、図９、図１０はそれぞれ回転・打撃モード時、回転モード時、打撃モード時、ニュートラル時の切替部材のカム及び偏心ピンの位置を示す図である。
【００４１】
１）回転・打撃モード：
回転・打撃モードは、先端工具２６に打撃力を加えつつ該先端工具２６を回転駆動するモードであって、切替部材６が回動操作されて回転・打撃モードが選択された状態では、切替部材６のカム６ａと偏心ピン６ｂは図７に示す位置にある。従って、このとき、図２に示すように、連結部材３５はベベルギヤ３４に連結され、両者の係合爪３５ｂ，３４ａ（図５参照）は係合状態（クラッチＯＮ状態）にあり、後端面が切替部材６のカム６ａの端面（カム面）に当接する回転係止部材３２は、図示のように連結部材３５から離間した状態（クラッチＯＦＦ状態）にある。
【００４２】
而して、モータ８が駆動されると、その出力軸（モータ軸）９の回転は、ピニオン１０、ギヤ１４、中間軸１２、ベベルギヤ１６，３４を経て減速され、ベベルギヤ３４に連結された連結部材３５を経てシリンダ１７に伝達されるため、該シリンダ１７とこれの先端部に装着された先端工具２６が回転駆動され、先端工具２６はドリルとしての機能を果たす。
【００４３】
又、同時にモータ８の出力軸（モータ軸）９の回転は、ピニオン１０とギヤ１３を経て減速されてクランク軸１１に伝達され、該クランク軸１１が所定の速度で回転駆動されるが、このクランク軸１１の回転は、クランクピン１５とコンロッド２２によってピストン２０のシリンダ１７内における前後方向の往復直線運動に変換される。このとき、先端工具２６が不図示の被削材に押し付けられると、その反力が中間子２７、円環部材２８、ピン２９及び一方のスライドスリーブ３０を経て他方のスライドスリーブ３１に伝達されるため、該スライドスリーブ３１がスプリング３６の付勢力に抗してシリンダ１７上を後方へ移動してシリンダ１７の呼吸孔２５を閉塞する。この結果、シリンダ１７内に形成された前記空気室２４は略密閉状態となり、前述のピストン２０の往復運動によって空気室２４の内圧が変動し、この内圧の変動によって打撃子２１がシリンダ１７内を前後方向に往復動して中間子２７に間欠的に衝突するため、中間子２７から先端工具２６に打撃力が伝達される。
【００４４】
２）回転モード：
回転モードは、先端工具２６に回転力のみを伝達してこれを回転駆動するモードであって、切替部材６が図７に示す位置から１８０°回動操作されて回転モードが選択された状態では、切替部材６のカム６ａと偏心ピン６ｂは図８に示す位置にある。
【００４５】
従って、このとき、図４に示すように、その外周段部が切替部材６の偏心ピン６ｂに当接する連結部材３５は、前記回転・打撃モード時と同様にベベルギヤ３４に連結され、両者の係合爪３５ｂ，３４ａ（図５参照）は係合状態（クラッチＯＮ状態）にある。又、後端面が切替部材６のカム６ａの端面（カム面）に当接する回転係止部材３２は、カム６ａによってスプリング３３の付勢力に抗して前方へと移動せしめられ、スライドスリーブ３１に当接してこれを他方のスライドスリーブ３０と共にシリンダ１７の外周に沿って前方へ移動させるため、スライドスリーブ３１による呼吸孔２５の閉塞が解除され、シリンダ内１７の空気室２４は、開放状態にある呼吸孔２５を介して外気と連通状態にある。
【００４６】
以上のように、回転モードにおいては、連結部材３５とベベルギヤ３４とは連結状態（クラッチＯＮ状態）にあるため、前記回転・打撃モードと同様に、モータ８の出力軸（モータ軸）９の回転は、前記経路を経てシリンダ１７に伝達され、該シリンダ１７とこれに装着された先端工具２６が回転駆動され、該先端工具２６はドリルとしてのみ機能する。
【００４７】
他方、この回転モードにおいても、モータ８の出力回（モータ軸）９の回転は前記回転・打撃モードと同様に、ピストン２０のシリンダ１７内での往復直線運動に変換されるが、前述のようにシリンダ１７の呼吸孔２５は開放状態にあり、シリンダ２０内の空気室２４は外気に連通しているため、ピストン２０が往復動しても空気室２４内には圧力変動が発生せず、従って、先端工具２６への打撃力の伝達が遮断され、先端工具２６は回転駆動されるのみとなる。尚、このとき、先端工具２６の被削材への押付力の反力は、中間子２７、円環部材２８、ピン２９及びスライドスリーブ３０，３１に伝達されるが、スライドスリーブ３１は、回転連結部材３２に当接してその軸方向位置が規制されているために移動せず、シリンダ１７の呼吸孔２５は開放状態が維持される。
【００４８】
３）打撃モード：
打撃モードは、先端工具２６に打撃力のみを伝達するモードであって、切替部材６が図８に示す位置から時計方向に９０°回動操作されて打撃モードが選択された状態では、切替部材６のカム６ａと偏心ピン６ｂは図９に示す位置にある。
【００４９】
従って、このとき、図５に示すように、その外周段部が切替部材６の偏心ピン６ｂに当接する連結部材３５は、偏心ピン６ｂによってシリンダ１７上を前方へと移動せしめられ、ベベルギヤ３４から離間して回転係止部材３２に連結されてその回転がロックされている。即ち、連結部材３５とベベルギヤ３４の係合爪３５ｂ，３４ａ同士は離脱状態（クラッチＯＦＦ状態）にあり、連結部材３５と回転係止部材３２の係合爪３５ａ，３２ａ同士は係合状態（クラッチＯＮ状態）にある。従って、打撃モードにおいては、シリンダ１７及び先端工具２６の回転がロックされるため、先端工具２６には打撃力のみが伝達され、当該ハンマドリル１はハンマとしての機能を十分発揮することができる。
【００５０】
又、後端面が切替部材６のカム６ａの端面（カム面）に当接する回転係止部材３２は、回転・打撃モードと同じ位置に移動し、スライドスリーブ３１は、先端工具２６を被削材へ押し付ける反力が加わるとシリンダ１７の呼吸孔２５を閉塞する位置に移動する。
【００５１】
以上のように、回転モードにおいては、連結部材３５とベベルギヤ３４とは離脱状態（クラッチＯＦＦ状態）にあるため、ベベルギヤ３４はシリンダ１７上で空回転し、その回転のシリンダ１７への伝達が遮断され、該シリンダ１７及びこれに装着された先端工具２６は非回転状態にあり、これらの回転は、連結部材３５と回転係止部材３２との連結によってロックされている。
【００５２】
他方、この回転モードにおいては、前記回転・打撃モードと同様に、シリンダ１７の呼吸孔２５がスライドスリーブ３１によって閉塞されるため、シリンダ１７内の空気室２４は略密閉状態に保たれ、ピストン２０の往復動に伴って空気室２４内に圧力変動が発生し、前述と同様に打撃力が打撃子２１及び中間子２７を経て先端工具２６に伝達され、該先端工具２６はハンマとしてのみ機能する。
【００５３】
４）ニュートラル：
ニュートラルは、先端工具２６に回転力も打撃力も伝達しないモードであって、切替部材６が図９に示す位置から時計方向に略４５°回動操作されてニュートラルが選択された状態では、切替部材６のカム６ａと偏心ピン６ｂは図１０に示す位置にある。
【００５４】
従って、このとき、図６に示すように、その外周段部が切替部材６の偏心ピン６ｂに当接する連結部材３５は、偏心ピン６ｂによってシリンダ１７上を前方へと移動せしめられ、ベベルギヤ３４から離間し、ベベルギヤ３４にも回転係止部材３２にも連結されない状態にある。
【００５５】
又、後端面が切替部材６のカム６ａの端面（カム面）に当接する回転係止部材３２は、前記回転モードと同様に、カム６ｂによってスプリング３３の付勢力に抗して前方へと移動せしめられ、スライドスリーブ３１に当接してこれを他方のスライドスリーブ３０と共にシリンダ１７の外周に沿って前方へ移動させるため、スライドスリーブ３１による呼吸孔２５の閉塞が解除され、シリンダ１７内の空気室２４は外気に連通した状態となる。
【００５６】
以上のように、ニュートラルにおいては、連結部材３５とベベルギヤ３４及び回転係止部材３２とは離脱状態（クラッチＯＦＦ状態）にあり、シリンダ１７の呼吸孔２５は開放状態にあるため、先端工具２６には打撃力も回転力も共に伝達されず、該先端工具２６は非作動状態にある。
【００５７】
而して、このニュートラルモードにおいては、先端工具２６は空転可能であるため、先端工具２６を別のものと交換したり、先端工具２６の回転方向の位置を容易に変更して刃先の角度を任意に調整することができる。そして、このニュートラルモードにおいては、回転係止部材３２によってスライドスリーブ３１の位置が呼吸孔２５を常に開放する位置に規制されるため、先端工具２６には打撃力が伝達されることがなく、先端工具２６の交換や刃先角度の調整中にたとえ電源スイッチ４がＯＮされたとしても、該先端工具２６の交換や回転工具２６の刃先の角度調整を安定的に行うことができる。
【００５８】
又、従来のハンマドリルでは、ニュートラルモード時に電源スイッチ４をＯＮすると先端工具２６に打撃力が伝達される構成が採用されていたため、作業者がモード切り替え時に打撃モードに設定したものと思い込んでニュートラルモードの状態で作業を開始すると、先端工具２６が回転してしまいうという不具合が発生する可能性があったが、以上説明した本実施の形態によれば、ニュートラルモードに設定された状態で作業が行われてしまうという不具合の発生を確実に防ぐことができる。
【００５９】
以上のように、本実施の形態では、切替部材６を操作してスライドスリーブ３１によってシリンダ１７の呼吸孔２５を開閉して打撃モードを切り替え、連結部材３５をベベルギヤ３４に対して係脱させて回転モードを切り替える構成を採用したため、切替機構を構成するスライドスリーブ３１や連結部材３５をシリンダ６の周囲に集約的に配置することができ、該切替機構の構造が単純化されて構成部品点数が削減され、これによって当該ハンマドリル１の小型コンパクト化と軽量化、コストダウン、操作性及び耐久性の向上が図られる。
【００６０】
又、単一の切替部材２６の回動操作で該切替部材６の偏心ピン６ｂによって連結部材３５を摺動させるとともに、カム６ａによって回転係止部材３２を摺動させることによって、動作モードを回転・打撃モード、打撃モード、回転モード又はニュートラルモードに切り替えることができ、切替機構の切替操作の単純化を図ることができる。
【００６１】
ところで、打撃モードから回転モード又はその逆への切り替えに際しては先端工具２６を取り替える必要がある。このため、本実施の形態では、図７〜図８に示すように、切替部材６による動作モードの切替順序において、打撃モードと回転モードの間にニュートラルモードを設けており、このように構成することによって、先端工具２６の交換を必要とする打撃モードから回転モード又はその逆への切り替えに際してはニュートラルモードを必ず通過する。従って、動作モードの切り替えに先立ってニュートラルモードにおいて先端工具２６の交換を簡単に行うことができ、好都合である。
【００６２】
ここで、本実施の形態において、動作モードとして回転・打撃モード、打撃モード、ニュートラルモード及び回転モードを選択した場合の回転伝達のＯＮ／ＯＦＦ（連結部材３５のベベルギヤ３４との係脱）と打撃伝達のＯＮ／ＯＦＦ（とスライドスリーブ３１によるシリンダ１７の呼吸孔２５の開閉）及び回転係止機能のＯＮ／ＯＦＦ（連結部材３５の回転係止部材３２への係脱）の組み合わせを表１に示す。
【００６３】
【表１】
2006289576.tif 000003
【産業上の利用可能性】
【００６４】
本発明は、動作モードを切り替える切替機構を備えるハンマドリルに対して有用である。
【図面の簡単な説明】
【００６５】
【図１】本発明に係るハンマドリルの側面図である。
【図２】本発明に係るハンマドリルの回転・打撃モード時の状態を示す側断面図である。
【図３】（ａ）は切替部材の側面図、（ｂ）は同切替部材の底面図である。
【図４】本発明に係るハンマドリルの回転モード時の状態を示す側断面図である。
【図５】本発明に係るハンマドリルの打撃モード時の状態を示す側断面図である。
【図６】本発明に係るハンマドリルのニュートラル時の状態を示す側断面図である。
【図７】本発明に係るハンマドリルの回転・打撃モード時における切替部材のカム及び偏心ピンの位置を示す図である。
【図８】本発明に係るハンマドリルの回転モード時における切替部材のカム及び偏心ピンの位置を示す図である。
【図９】本発明に係るハンマドリルの打撃モード時における切替部材のカム及び偏心ピンの位置を示す図である。
【図１０】本発明に係るハンマドリルのニュートラル時における切替部材のカム及び偏心ピンの位置を示す図である。
【符号の説明】
【００６６】
１          ハンマドリル
６          切替部材
６ａ        カム
６ｂ        偏心ピン
８          モータ
９          出力軸（モータ軸）
１０        ピニオン
１１        クランク軸
１２        中間軸
１３，１４  ギヤ
１５        クランクピン
１６        ベベルギヤ
１７        シリンダ
２０        ピストン
２１        打撃子
２２        コンロッド
２４        空気室
２５        呼吸孔
２６        先端工具
２７        中間子
２８        円環部材
２９        ピン
３０，３１  スライドスリーブ（スリーブ）
３２        回転係止部材（規制手段）
３３        スプリング
３４        ベベルギヤ
３５        連結部材
３６        スプリング
【図１】
2006289576.tif 000004
【図２】
2006289576.tif 000005
【図３】
2006289576.tif 000006
【図４】
2006289576.tif 000007
【図５】
2006289576.tif 000008
【図６】
2006289576.tif 000009
【図７】
2006289576.tif 000010
【図８】
2006289576.tif 000011
【図９】
2006289576.tif 000012
【図１０】
2006289576.tif 000013